(57)【要約】【課題】チェーンカバー内部への風雨の侵入や直射日光が照射を低減し、チェーンホイールに注油したグリスの劣化や流失の抑制を図る。【解決手段】放槌減速機の回転軸を貫通するためにチェーンカバーに形成された開口部(24)に、放槌減速機側に伸長する薄板状の開口部庇(26)を設ける。ここで例えば、前記開口部庇は短冊状の庇部(26a)と、該庇部の一長辺から伸長して並んだ複数の脚部(26b)とからなり、前記庇部は所定の柔軟性を有し、また、前記脚部は磁性を帯びており、前記庇部は前記脚部に対して直角をなすように折り曲げられ、かつ、前記開口部の形状に沿うように湾曲されて前記脚部を前記開口部に磁着して取り付けられる。【選択図】図３
2008168211.tif 000002
【特許請求の範囲】
【請求項１】
モータ（１６）の回転動力を減速する放槌減速機（１８）と、電気集塵装置の集塵極に付着した塵芥を槌打して遊離させるための放電極槌打装置（１４）と、を連結して回転力を伝達するためのチェーン（２１）に、該チェーンを覆うように被せられるチェーンカバー（２２）であって、
前記チェーンカバーに放槌減速機の回転軸を貫通するために形成された開口部（２４）に、放槌減速機側に伸長する薄板状の開口部庇（２６）を設けた、ことを特徴とするグリス切れ対策用庇付きチェーンカバー。
【請求項２】
前記開口部庇（２６）は短冊状の庇部（２６ａ）と、該庇部の一長辺から伸長して並んだ複数の脚部（２６ｂ）とからなり、
前記庇部は所定の柔軟性を有し、また、前記脚部は磁性を帯びており、
前記庇部は前記脚部に対して直角をなすように折り曲げられ、かつ、前記開口部（２４）の形状に沿うように湾曲されて前記脚部を前記開口部に磁着して取り付けられる、ことを特徴とする請求項１に記載のグリス切れ対策用庇付きチェーンカバー。
【請求項３】
前記開口部庇（２６）は短冊状の庇部（２６ａ）と、該庇部の一長辺から伸長して並んだクランプ部（２６ｃ）と、からなり、
前記庇部は所定の柔軟性を有し、また、前記クランプは前記開口部（２４）の周縁を把持するように形成され、
前記庇部は前記クランプ部に対して直角をなすように折り曲げられ、かつ、前記開口部の形状に沿うように湾曲されて前記開口部に取り付けられる、ことを特徴とする請求項１に記載のグリス切れ対策用庇付きチェーンカバー。
【請求項４】
前記開口部庇（２６）の先端部には、先端部からの雨滴の滴下を防止するための回り縁（２８）が形成されている、ことを特徴とする請求項１乃至３のいずれか一項に記載のグリス切れ対策用庇付きチェーンカバー。
【請求項５】
前記開口部庇（２６）の先端部を縁取るように、かつ、前記開口部庇の先端部からはみ出すように平帯状のゴム帯（３２）を張設した、ことを特徴とする請求項１乃至４のいずれか一項に記載のグリス切れ対策用庇付きチェーンカバー。
【発明の詳細な説明】
【技術分野】
【０００１】
本発明は、チェーンカバー内部に収容されたチェーンホイール等の動きを円滑化するグリスが劣化や減少することを防止するためのグリス切れ対策用庇付きチェーンカバーに関し、特に、発電所等に備えられる放電極槌打装置に放槌減速機の回転軸の回転力を伝達するためのチェーンを覆うチェーンカバーに形成された開口部からの雨の侵入や日光の直射を抑制するための技術に関する。
【背景技術】
【０００２】
発電所等の大型施設のボイラ等で発生した燃焼灰は、燃焼排ガスとともに脱硝装置および空気予熱器を経て電気集塵器に導入され、電気集塵器ではＥＰ灰などの塵芥の大半を静電引力により集電極に捕捉する。電気集塵機の集電極に付着した塵芥は、振動により塵芥を遊離させるための放電極槌打装置の槌打によって周期的に除去される。集電極から遊離した塵芥は落下し、下方に設けられたホッパに蓄積され、真空ポンプの吸引によって灰移送管を通じて灰処理装置に移送される。
【０００３】
放電極槌打装置に関する発明の一例としては、下記特許文献の「電気集塵装置」などの技術が発案されている。
【特許文献１】特開平１１−２２１４９３号公報
【発明の開示】
【発明が解決しようとする課題】
【０００４】
図８に放電極槌打装置の構成を概念図で示した。図に示したように放電極槌打装置の駆動は、モータ１６の回転動力を減速機（放槌減速機１８）で減速し、放槌減速機の回転軸に取り付けた歯車であるチェーンホイール４１ａの回転を、チェーン２１を介して連結した放電極槌打装置本体１４のチェーンホイール４１ｂに伝達することによって行われる。一つの放槌減速機の回転軸には２つのチェーンホイールが取り付けられており、一つのモータによって放槌減速機の左右に配した２つの放電極槌打装置を駆動するようになっている。なお一般に上記モータおよび減速機は設備の屋根上など屋外に設置される。
【０００５】
ここで放槌減速機１８の回転軸のチェーンホイール４１ａを放電極槌打装置本体１４のチェーンホイール４１ｂに連結するチェーン２１（破線）は、１〜数メートル程度の長さを有しているため、作業員の安全確保や風雨からのチェーン等の保護の観点からチェーンにはこれを覆うように破線で示したチェーンカバー２２が被せられている。
このチェーンカバー２２はその横断面が底面が開放するようにして金属板をコの字型に折り曲げて形成したものであり、その中間部一側面には放槌減速機の回転軸を貫通するための逆Ｕ字型の開口部２４が形成されている。
【０００６】
図に示したようにチェーンカバーの開口部の周縁と放槌減速機の回転軸との間には、比較的広い隙間が存在している。これは組み付けの際に、チェーンホイールを取り付けた放槌減速機の回転軸を貫通させる必要があるためである。ここでモータやチェーンカバー等は屋外に設置されているため、チェーンカバー開口部の隙間から、チェーンカバー内部に風雨が侵入し、また直射日光が照射し、チェーンとチェーンホイールとの噛み合いを円滑化するために注油したグリスが劣化したり流失してしまったりすることがあった。グリスの劣化等が発生すると、チェーンおよびチェーンホイールには金属磨耗が生じ、これが進行するとチェーン切れや歯車の歯の欠損が発生する虞があった。またチェーンカバー開口部の隙間はチェーンとチェーンホイールとの噛み合い部近くにあるため、ここからチェーンカバー内部に差し入れた手が巻き込まれる虞もあった。
【０００７】
本発明は上記問題を解決するために創案されたものであり、チェーンカバーの開口部と放槌減速機の回転軸との間の隙間からチェーンカバー内部への風雨の侵入や直射日光が照射を低減し、チェーンホイールに注油したグリスの劣化や流失の抑制を図り、また、かかる隙間から手を差し入れ難くすることで巻き込み事故の防止を図るためのグリス切れ対策用庇付きチェーンカバーを提供することを目的とする。
【課題を解決するための手段】
【０００８】
上記目的を達成するための本発明は、モータ（１６）の回転動力を減速する放槌減速機（１８）と、電気集塵装置の集塵極に付着した塵芥を槌打して遊離させるための放電極槌打装置（１４）と、を連結して回転力を伝達するためのチェーン（２１）に、該チェーンを覆うように被せられるチェーンカバー（２２）であって、前記チェーンカバーに放槌減速機の回転軸を貫通するために形成された開口部（２４）に、放槌減速機側に伸長する薄板状の開口部庇（２６）を設けた、ことを特徴とするグリス切れ対策用庇付きチェーンカバーを提供する。
【０００９】
ここで、前記開口部庇（２６）は短冊状の庇部（２６ａ）と、該庇部の一長辺から伸長して並んだ複数の脚部（２６ｂ）とからなり、前記庇部は所定の柔軟性を有し、また、前記脚部は磁性を帯びており、前記庇部は前記脚部に対して直角をなすように折り曲げられ、かつ、前記開口部（２４）の形状に沿うように湾曲されて前記脚部を前記開口部に磁着して取り付けられるか、前記開口部庇（２６）は短冊状の庇部（２６ａ）と、該庇部の一長辺から伸長して並んだクランプ部（２６ｃ）と、からなり、前記庇部は所定の柔軟性を有し、また、前記クランプは前記開口部（２４）の周縁を把持するように形成され、前記庇部は前記クランプ部に対して直角をなすように折り曲げられ、かつ、前記開口部の形状に沿うように湾曲されて前記開口部に取り付けられる。
【００１０】
また、前記開口部庇（２６）の先端部に、先端部からの雨滴の滴下を防止するための回り縁（２８）を形成してやる、ことも好ましい。
【００１１】
さらに、前記開口部庇（２６）の先端部を縁取るように、かつ、前記開口部庇の先端部からはみ出すように平帯状のゴム帯（３２）を張設する、ことも好ましい。
【発明の効果】
【００１２】
本発明ではチェーンカバーに形成された開口部に、放槌減速機側に伸長する薄板状の開口部庇を設けることで、放槌減速機の回転軸との間の隙間からチェーンカバー内部への風雨の侵入や直射日光が照射を低減することができる。これにより、チェーンホイールに注油したグリスの劣化や流失の抑制し、また、かかる隙間からの手の巻き込み事故を防止することができる。
【００１３】
ここで、開口部庇をチェーンカバーの開口部に着脱自在に構成することで、既存のチェーンカバーの開口部に容易にその取り付けを行うことができる。なお開口部庇の取り付けを、庇となる庇部から連続した構造の磁石やクランプを用いて行うようにしてやれば、その取り付けの容易化を簡易な構造で実現することができる。
【００１４】
また、開口部庇の先端部に回り縁を形成してやれば、庇上に降った雨は回り縁に沿って流れるため、モータ側への滴下を防止してやることができる。
【００１５】
さらに、開口部庇の先端部を縁取るように、開口部庇の先端部からはみ出して平帯状のゴム帯を張設することで、はみ出した部分のゴム帯は張力により放槌減速機の回転軸側に張り出すこととなるため、放槌減速機の回転軸との間の隙間を狭小化若しくはなくすことができ、チェーンカバー内部への風雨の侵入や直射日光が照射を低減もしくは防止することができる。なおはみ出したゴム帯が放槌減速機の筐体と接触する場合にも、ゴム帯が放槌減速機の振動を吸収するため、振動によるチェーンカバーへの影響を回避することができる。
【発明を実施するための最良の形態】
【００１６】
図１に示した本発明のグリス切れ対策用庇付きチェーンカバーは、発電所等のボイラ等で発生する燃焼灰の粉塵を静電引力により捕捉する電気集塵装置（図示せず）の集電極に付着した塵芥を、槌打による振動によって遊離させる放電極槌打装置本体１４を駆動させるためチェーン２１に被せられるようにして取り付けられるものである。このチェーン２１は動力源であるモータ１６の回転力を低減する放槌減速機１８の回転軸に設けられたチェーンホイール４１ａと、放槌減速機の左右に配置された２つの放電極槌打装置本体１４の各回転軸に設けられたチェーンホイール４１ｂとを接続するものである。
このチェーンカバー２２はその横断面が底面が開放するようにして、縦×横が３０ｃｍ×２０ｃｍ程度のコの字型に形成され、また、その長さが２ｍ程度となるように、防錆塗装を施した厚さ１ｍｍ程度の鉄などの金属板を折り曲げて製作されている。また、その中間部一側壁には放槌減速機１８の回転軸を貫通するための湾曲部の半径が１５ｃｍ程度の逆Ｕ字型の開口部２４が形成されている。
【００１７】
本発明の要旨は、チェーンホイール４１を取り付けた放槌減速機１８の回転軸を貫通するチェーンカバー２２の開口部周縁と放槌減速機１８の回転軸との間の隙間から、チェーンカバー内部への風雨の侵入や直射日光が照射を抑制・防止するための庇（開口部庇２６）を新たに設けるものである。
以下図面を参照して本発明のグリス切れ対策用庇付きチェーンカバーについて説明する。
【実施例１】
【００１８】
図２に実施例１のチェーンカバー２２に取り付けられる開口部庇の斜視図を示した。
【００１９】
この開口部庇２６は、既存のチェーンカバー２２の開口部２４に後から簡易に取り付けられるもので、手で曲げることができる程度の柔軟性を有し、かつ、磁性を有する厚さ０．５ｍｍ程度の金属板を用いて製作されている。
開口部庇２６はチェーンカバー２２に取り付けた際に庇となる庇部２６ａと、庇部の一長辺から伸長し、かつ、一長辺に並列する複数の脚部２６ｂとから構成され、庇部２６ａと脚部２６ｂとは一体的に形成されている。
【００２０】
庇部２６ａは長さがチェーンカバー２２開口部周縁の長さと同じで（７０ｃｍ程度）、幅が１０ｃｍ程度、厚みが０．５ｍｍ程度の短冊形状をしている。
脚部２６ｂは、庇部２６ａをチェーンカバー２２に取り付けるためのもので、庇部の一長辺から長辺と垂直方向に伸長している。この脚部２６ｂは縦横とも８ｃｍ程度の矩形板であり、複数（本実施例では８個）の脚部２６ｂが庇部２６ａの一長辺に連続して並んでいる。
【００２１】
図３に示すようにこの開口部庇２６のチェーンカバーへの取り付けは次のようにして行われる。
まず開口部庇２６を庇部２６ａと脚部２６ｂとが直角をなすように折り曲げ、次に庇部２６ａがチェーンカバー開口部２４の周縁の形状に沿うようにこれを湾曲させる。このとき湾曲部では複数の脚部２６ｂが扇状に広がった状態となる。この状態で脚部２６ｂをチェーンカバー開口部２４の周縁の形状に沿って磁着してやる。なお脚部２６ｂはチェーンカバー２２の内側面に磁着するのが好ましいが、外側面に磁着してやることも可能である。
【００２２】
なお本実施例では庇部２６ａと脚部２６ｂを一枚の薄板により形成したことから、庇部２６ａにも磁性を持たすことができる。そのため、必要に応じてこの庇部２６ａに短冊状の薄い金属板を被せて磁着することで、適宜庇の長さの延長を容易に図ることができる。
【００２３】
以上に説明した開口部庇を取り付けた本実施例のグリス切れ対策用庇付きチェーンカバーによれば、チェーンカバーの開口部に沿って簡易に庇を取り付けることができ、チェーンカバー開口部と放槌減速機の回転軸との間の隙間からのチェーンカバー内部への風雨の侵入や直射日光が照射を低減することができる。これにより、チェーンホイールに注油したグリスの劣化や流失を抑制することができ、また、かかる隙間からの手の巻き込み事故を防止することができる。
【実施例２】
【００２４】
図４に実施例２のグリス切れ対策用庇付きチェーンカバーに取り付けられる開口部庇の斜視図を示した。
【００２５】
この開口部庇２６は、既存のチェーンカバー２２の開口部２４に後から簡易に取り付けられるもので、手で曲げることができる程度の柔軟性を有し、かつ、弾性に富んだ厚さ０．５ｍｍ程度の金属板を用いて製作されている。
開口部庇２６はチェーンカバー２２に取り付けた際に庇となる庇部２６ａと、庇部２６ａの一長辺に並んだ複数のクランプ部２６ｃとから構成され、庇部とクランプ部とは一体的に形成されている。
【００２６】
庇部２６ａは実施例１とほぼ同様の構成を有しているため重複する説明は省略するが、その先端部には凸条の回り縁２８がプレスによって成形されている。
またクランプ部２６ｃは、庇部２６ａの一長辺側をプレスによってＺ型の三つ折に折り返すことで形成され、折り返した状態で縦横とも８ｃｍ程度の長さの矩形をなし、複数（本実施例では８個）のクランプ部２６ｃが庇部２６ａの一長辺に並んでいる。Ｚ型に折り返すことで形成されたクランプ部２６ｃは、チェーンカバー２２の開口部周縁をその末端から差し入れてこれを弾性力によって把持できるようになっている。
【００２７】
図５に横断面図で示すように、この開口部庇２６のチェーンカバーへの取り付けは次のようにして行われる。
まず開口部庇２６を庇部２６ａとクランプ部２６ｃとが直角をなすように折り曲げ、次に庇部２６ａがチェーンカバー開口部２４の周縁の形状よりも若干小さくなるようにこれを湾曲させてやる。このとき湾曲部では複数のクランプ部２６ｃが扇状に広がった状態となる。この状態でクランプ部２６ｃの末端をチェーンカバー開口部２４の周縁に押し付けるようにして差し入れて開口部周縁を把持させることで、開口部庇２６がチェーンカバー開口部２４に取り付けられる。
【００２８】
以上に説明した開口部庇を取り付けた本実施例のグリス切れ対策用庇付きチェーンカバーによれば、チェーンカバーの開口部に簡易に庇を取り付けることができ、実施例１と同様にグリスの劣化や流失等を抑制することができる。また雨が降った際にも、雨滴が庇部の先端部に形成した回り縁に沿って流れ落ちるため、モータ側への滴下を防止してやることができる。
【実施例３】
【００２９】
図６に実施例３のグリス切れ対策用庇付きチェーンカバーの斜視図を示した。
【００３０】
この開口部庇自体は実施例２のものとほぼ同様の構成をしているが、庇部２６ａには以下に説明するゴム帯３２を止めるための縦×横が２ｃｍ×５ｍｍ程度のスリット穴４３が一定間隔で形成されている。
【００３１】
一方ゴム帯３２は、幅が１０ｃｍ程度で、引き伸ばした際の長さが庇部２６ａの長さと同じ（７０ｃｍ程度）となるような２ｍｍ程度の厚みのゴム平帯であり、その一長辺側には引き伸ばした際に開口部庇２６に形成されているスリット穴４３に対応する位置に、ゴム帯３２を取り付けるためのフック４５が設けられている。
【００３２】
開口部庇２６へのゴム帯３２の取り付けは、ゴム帯３２が開口部庇の庇部２６ａの先端部を縁取るように、かつ、庇部２６ａの先端部からゴム帯の幅の半分程度がはみ出すようにして、チェーンカバー開口部２４に取り付けた開口部庇２６の庇部２６ａのスリット穴４３に、引っ張りながら順にフック４５を掛け止めてゆくことで行われる。なお図７に横断面図で示したように庇部２６ａの先端部からはみ出して張設されたゴム帯３２は、その張力によって庇部の先端部から湾曲の径方向内側に入り込むように傾斜することとなる。
【００３３】
以上に説明した開口部庇を取り付けた本実施例のグリス切れ対策用庇付きチェーンカバーによれば、庇部の先端からはみ出して張設したゴム帯が、開口部周縁と放槌減速機との間の隙間を狭め又は塞ぐため、かかる隙間からチェーンカバー内部への風雨の侵入や直射日光の照射をより一層低減することができ、グリスの劣化や流失や手の巻き込み事故を効果的に防止することができる。なおゴム帯が放槌減速機の筐体と接触する場合にも、ゴム帯が放槌減速機の振動を吸収するため、振動によるチェーンカバーへの影響はない。
また上述した開口部庇はその構造が単純であり、また、開口部周縁の長さに合わせて現場でその長さを変更（切断）することが可能である。さらにこの開口部庇は、現場で開口部の形状に合わせてこれを容易に湾曲させることができ便宜である。またゴム帯が劣化した場合などにはその交換を極めて容易に行うことができる。
【００３４】
以上本発明のグリス切れ対策用庇付きチェーンカバーの好ましい実施例について説明したが、本発明はかかる構成に限られず、チェーンカバー開口部の周縁に開口部庇を簡易に取り付けて、チェーンカバー内部への風雨の侵入を抑制するものであれば本発明の趣旨を逸脱しない範囲で適宜変更して用いることができることは勿論である。
【産業上の利用可能性】
【００３５】
上述したように本発明のグリス切れ対策用庇付きチェーンカバーは、発電所等に備えられる放電極槌打装置のチェーンカバーとすることを主目的として発案されたものであるが、開口部に庇を設けることで開口部からの雨の侵入や日光の直射を抑制することを目的とするものであれば、種々の設備に使用することができる。
【図面の簡単な説明】
【００３６】
【図１】グリス切れ対策用庇付きチェーンカバーを備えた放電極槌打装置の構成図である。
【図２】実施例１のチェーンカバーの開口部庇の斜視図である。
【図３】開口部庇の取り付けの様子を示した斜視図である。
【図４】実施例２のチェーンカバーの開口部庇の斜視図である。
【図５】開口部庇の取り付けの様子を示した斜視図である。
【図６】実施例３のチェーンカバーの斜視図であり、開口部庇へのゴム帯の取り付けの様子を示したものである。
【図７】ゴム帯の取り付けたチェーンカバーの横断面図である。
【図８】従来の放電極槌打装置の構成図である。
【符号の説明】
【００３７】
１４  放電極槌打装置
１６  モータ
１８  放槌減速機
２１  チェーン
２２  チェーンカバー
２４  開口部
２６  開口部庇
２６ａ  庇部
２６ｂ  脚部
２６ｃ  クランプ部
２８  回り縁
３２  ゴム帯
４１ａ，４１ｂ  チェーンホイール
４３  スリット穴
４５  フック
【図１】
2008168211.tif 000003
【図２】
2008168211.tif 000004
【図３】
2008168211.tif 000005
【図４】
2008168211.tif 000006
【図５】
2008168211.tif 000007
【図６】
2008168211.tif 000008
【図７】
2008168211.tif 000009
【図８】
2008168211.tif 000010